(57)【要約】【課題】情報を記入することができる機能を具え、写真に関連する情報を入力するために便利なデジタル撮影手段を提供する。【解決手段】  機能選択ボタンと、情報を編集する機能を具えたタッチキーのモニタとをハウジングに設けてなり、タッチキーを操作して文字を選び、選択した写真に文字情報の編集を行うとともに、写真上の指定した位置に文字を表示した後、内部に設けたメモリカードに保存して文字による情報を編集する作業を行うことができる構造からなる。【選択図】  図１
0003125866.tif 000002
【実用新案登録請求の範囲】
【請求項１】
機能選択ボタンと、情報を編集する機能を具えたタッチキーのモニタとをハウジングに設けてなり、タッチキーを操作して文字を選び、選択した写真に文字情報の編集を行うとともに、写真上の指定した位置に文字を表示した後、内部に設けたメモリカードに保存して文字による情報を編集する作業を行うことができる構造からなることを特徴とするデジタル撮影装置。
【請求項２】
ハウジング上に情報を編集する機能を具えた複数のボタンと、情報を編集する機能を具えたエディターを具えてなり、複数のボタンに対応する文字を組み合わせて文字を入力して、選択した写真の指定した位置に文字を表示した後、内部に設けたメモリカードに保存して文字情報の編集作業を行うことができる構造からなることを特徴とする請求項１に記載するデジタル撮影装置。
【請求項３】
前記デジタル撮影手段はデジタルカメラ、デジタルビデオを含むことを特徴とする請求項１もしくは２に記載するデジタル撮影装置。
【請求項４】
前記情報を編集する機能を具えた入力手段には手書き用のモニタを含むことを特徴とする請求項１もしくは２に記載するデジタル撮影装置。
【請求項５】
前記デジタル撮影手段には外部入力装置の接続インタフェイスを含み、コード接続式の手書き用のボード、もしくはキーボードを接続することを特徴とする請求項１もしくは２に記載のデジタル撮影装置。
【請求項６】
前記デジタル撮影手段はワイヤレスの受信機能を具えてなり、携帯電話、ワイヤレスの手書き用のボード、もしくはワイヤレスのキーボードから送信された信号を受信することを特徴とする請求項１もしくは２に記載のデジタル撮影装置。
【請求項７】
前記デジタル撮影手段は言語識別機能を含み、外部に接続したマイクが受信した超えの信号を対応する文字に転換することを特徴とする請求項１もしくは２に記載のデジタル撮影装置。
【考案の詳細な説明】
【技術分野】
【０００１】
この考案は、デジタル撮影装置に関し、特に撮影した写真に文字や絵などを編集し、記録することができるデジタル撮影装置に関する。
【背景技術】
【０００２】
デジタルカメラ、もしくはデジタルビデオの技術は日々進歩している。市場におけるデジタル撮影関連製品のシェアは次第に大きくなってきており、従来のスチールカメラと完全に立場が逆転している。しかしながら、多くのデジタルカメラ、もしくはデジタルビデオは撮影した画像の品質及び保存容量に重点をおいているため、新規性に欠けている。
【０００３】
多くの状況において、撮影者は一枚の写真を撮影した後、すぐに写真に関連する情報をメモする。例えば撮影後、丸や符号を記入して特殊な場所を表示したり、文字による説明を加えて撮影した写真の目的や重点をメモして、後で写真を整理する場合にわかりやすくする。従来のスチールカメラでは、写真をやいた後、ペンで写真の後ろに文字で説明を加えなければならないため、すぐに写真を手にすることができない。よって、撮影した写真に関する情報を記載する場合には、すでに情報をぼんやりとした記憶していなかったり、忘れていたりする。
【考案の開示】
【考案が解決しようとする課題】
【０００４】
この考案は、情報を記入することができる機能を具え、写真に関連する情報を入力するために便利なデジタル撮影装置を提供することを課題とする。
【課題を解決するための手段】
【０００５】
そこで、本考案者は従来の技術に見られる欠点に鑑みて鋭意研究を重ねた結果、機能選択ボタンと、情報を編集する機能を具えたタッチキーのモニタとをハウジングに設けてなり、タッチキーを操作して文字を選び、選択した写真に文字情報の編集を行うとともに、写真上の指定した位置に文字を表示した後、内部に設けたメモリカードに保存して文字による情報を編集する作業を行うことができる構造のデジタル撮影装置によって課題を解決できる点に着眼し、かかる知見に基づいて本考案を完成させた。
【０００６】
以下、この考案について具体的に説明する。
請求項１に記載のデジタル撮影装置は、機能選択ボタンと、情報を編集する機能を具えたタッチキーのモニタとをハウジングに設けてなり、タッチキーを操作して文字を選び、選択した写真に文字情報の編集を行うとともに、写真上の指定した位置に文字を表示した後、内部に設けたメモリカードに保存して文字による情報を編集する作業を行うことができる構造からなる。
【０００７】
請求項２に記載のデジタル撮影装置は、ハウジング上に情報を編集する機能を具えた複数のボタンと、情報を編集する機能を具えたエディターを具えてなり、複数のボタンに対応する文字を組み合わせて文字を入力して、選択した写真の指定した位置に文字を表示した後、内部に設けたメモリカードに保存して文字情報の編集作業を行うことができる構造からなる。
【０００８】
請求項３に記載のデジタル撮影装置は、請求項１もしくは２におけるデジタル撮影手段がデジタルカメラ、デジタルビデオを含む。
【０００９】
請求項４に記載のデジタル撮影装置は、請求項１もしくは２における情報を編集する機能を具えた入力手段には手書き用のモニタを含む。
【００１０】
請求項５に記載のデジタル撮影装置は、請求項１もしくは２におけるデジタル撮影手段には外部入力装置の接続インタフェイスを含み、コード接続式の手書き用のボード、もしくはキーボードを接続する。
【００１１】
請求項６に記載のデジタル撮影装置は、請求項１もしくは２におけるデジタル撮影手段がワイヤレスの受信機能を具えてなり、携帯電話、ワイヤレスの手書き用のボード、もしくはワイヤレスのキーボードから送信された信号を受信する。
【００１２】
請求項７に記載のデジタル撮影装置は、請求項１もしくは２におけるデジタル撮影手段が言語識別機能を含み、外部に接続したマイクが受信した超えの信号を対応する文字に転換する。
【考案の効果】
【００１３】
この考案によるデジタル撮影装置は、撮影した写真に関する情報をすぐに入力編集することができるため、正確な情報を入力することができる効果を有する。
【考案を実施するための最良の形態】
【００１４】
この考案は、情報を記入することができる機能を具え、写真に関連する情報を入力するために便利なデジタル撮影手段であって、機能選択ボタンと、情報を編集する機能を具えたタッチキーのモニタとをハウジングに設けてなり、タッチキーを操作して文字を選び、選択した写真に文字情報の編集を行うとともに、写真上の指定した位置に文字を表示した後、内部に設けたメモリカードに保存して文字による情報を編集する作業を行うことができる構造と特徴を詳述するために具体的な実施例を挙げ、図示を参照にして以下に説明する。
【実施例】
【００１５】
この考案のデジタル撮影装置は、デジタル撮影装置のモニタ上に表示した写真に直接、文字や絵などを編集することができ、写真に関する情報をすぐに記入することができる機能を有する。
【００１６】
図１、２に開示するように、この考案のデジタル撮影装置はデジタルカメラと、デジタルビデオとを含む。該デジタルカメラ１は、従来のデジタルカメラと同じ構造を具えてなり、カメラ本体と、該本体の外部に設けられたレンズと、モニタ１１と、操作領域１２と、内部に設けられたメモリカードと、電池などを含んでなる。
【００１７】
該デジタルカメラ１はハウジングに機能選択ボタン１２１が設けられ、情報を編集する機能を具えたタッチキー１１１、もしくは手書き用のモニタ１１２とを具えてなる。
【００１８】
撮影者は撮影した写真から編集したい写真を選択し、機能選択ボタン１２１を操作して編集モデルを呼び出し、モニタ１１上の適当な位置（写真に影響を与えないか、写真を遮らないことを原則とする）にタッチキー１１１を表示する。
【００１９】
次に、タッチキー１１１で文字を選択してモニタ１１上の写真に必要な文字をすぐに編集するか、もしくは手書き用のペンで手書き用のモニタ１１２上に文字を書く方法で文字を入力し編集する。また、文字情報は写真の指定した位置に表示した後、内部に設けられたメモリカードに保存されるため、文字情報を編集するために便利である。前述のようにタッチキー１１１を操作して情報を入力する方法は、使用上最も直接的で簡単で便利である。
【００２０】
図３に開示するように、該デジタルカメラ１は、ハウジングの操作領域１２のほかに、直接、情報を編集する機能を具えた複数のボタン１３を具えてなり、且つ内部に情報を編集する機能を具えた図、文字エディターを設けてなる。使用する場合、複数のボタン１３に対応する字を組み合わせた文字を操作して選択した写真の指定した位置に表示した後、メモリカードに保存し、文字の編集を行う。前述の方法は情報を入力する場合と同様に簡単で便利で、その過程において、写真が遮断されることがない。
【００２１】
図４、５に開示するように、デジタルカメラ１は、複数のボタン１３を設けて体積が大きくなったり、もしくはハウジング上の空間が制限されて配置が難しくなることを防ぐため、デジタルカメラ１上の適宜な位置に外部入力装置２の接続インタフェイスを設けてなる。使用する場合には、必要な時に手書き用のボード、もしくはキーボードを該接続インタフェイスに接続し、外部入力手段２を通して文字入力などの編集作業を行うことができ、必要な写真の情報を入力することができる目的を達成することができる。
【００２２】
図６から８に開示するように、上述のような外部に接続するコード接続式の外部入力手段２をデジタルカメラ１に接続して写真に関する情報を入力する以外に、携帯電話や、ワイヤレスの手書き用ボードなどワイヤレスの外部入力手段２を利用してもよく、地形などの要素に制限されることがない。また、同時にデジタルカメラ１は構造上、ワイヤレスの受信機能を具えてなり、ワイヤレスの外部入力手段２から入力された信号を受信するために便利である。
【００２３】
図９に開示するように、この考案のデジタルカメラ１は、手書き用モニタ、タッチキー、もしくは外部入力手段のコード接続式か、もしくはワイヤレスの手書き用ボード、キー、携帯電話などの入力手段のほかに、言語による入力を利用してもよい。該デジタルカメラ１は構造上、必ず言語識別機能を設けているため、マイクなどの外部入力手段２を利用して使用者の声の信号を受信して対応する文字情報に転換し、デジタルカメラ１の選択した写真に情報を入力した後、保存する。前述の方法は動態の方法で、且つ振動の発生しやすい環境において便利である。なぜなら内部、もしくは外部入力手段２を利用する場合、振動の多い状況において正確な情報を入力もしくはメモすることが難しいため、言語による入力が便利である。
【００２４】
上述のように、この考案のデジタル撮影装置は情報を入力する機能を具えてなり、内部に設けられたデジタル撮影用の手書き用モニタ、タッチキー、外部に接続するコード接続式か、もしくはワイヤレスの携帯電話、手書き用のボード、キー、マイクなど外部入力手段を操作して写真に即時に文字による情報を入力することができるため、広範囲で多様な機能を応用することができる。特に価値のある情景を記録して保存することは、数年後、写真に記入された情報により忘れていた記憶が呼び覚まされ、過去の時間が戻ったようになり人を感動させる。
【００２５】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２６】
【図１】この考案の実施例を示した斜視図である。
【図２】この考案の他の実施例を示した斜視図である。
【図３】この考案のその他の実施例を示した斜視図である。
【図４】この考案の別の実施例を示した斜視図である。
【図５】この考案のその他別の実施例を示した斜視図である。
【図６】この考案のその他別の実施例を示した斜視図である。
【図７】この考案のその他別の実施例を示した斜視図である。
【図８】この考案のその他別の実施例を示した斜視図である。
【図９】この考案のその他別の実施例を示した斜視図である。
【符号の説明】
【００２７】
１          デジタルカメラ
１１        モニタ
１１１      タッチキー
１１２      手書き用モニタ
１２        操作領域
１２１      機能選択ボタン
１３        ボタン
２          外部入力手段
【図１】
0003125866.tif 000003
【図２】
0003125866.tif 000004
【図３】
0003125866.tif 000005
【図４】
0003125866.tif 000006
【図５】
0003125866.tif 000007
【図６】
0003125866.tif 000008
【図７】
0003125866.tif 000009
【図８】
0003125866.tif 000010
【図９】
0003125866.tif 000011